(57)【要約】【課題】  競技ボールを強打することによるプレーヤーの手への衝撃を可能な限り軽くする。【解決手段】  クラブヘッド１１とクラブシャフト３０の接続箇所または接続箇所近傍において、クラブヘッドとクラブシャフトの少なくとも一方に、衝撃吸収材１５を設ける。例えば、クラブヘッドのフェースの裏側、クラブシャフトの嵌合孔の後方部位に板状の衝撃吸収材を配する。クラブシャフトの嵌合孔の後方部位に複数の孔を穿設して柱状の衝撃吸収材を装着してもよい。クラブシャフトの内側、あるいはクラブシャフトの嵌合孔の内周面に衝撃吸収材を設ける場合がある。【選択図】    図１
0003106624.tif 000002
【実用新案登録請求の範囲】
【請求項１】
クラブヘッドとクラブシャフトの接続箇所または接続箇所近傍において、クラブヘッドとクラブシャフトの少なくとも一方に、クラブシャフトへの衝撃の伝達を緩和する衝撃吸収材を設けることを特徴とするパークゴルフ用クラブ。
【請求項２】
クラブヘッドのフェース材の裏側に、衝撃吸収材を設けることを特徴とする請求項１記載のパークゴルフ用クラブ。
【請求項３】
クラブシャフトの嵌合孔の後方部位に板状の衝撃吸収材を配することを特徴とする請求項１または請求項２記載のパークゴルフ用クラブ。
【請求項４】
クラブシャフトの嵌合孔の後方部位に複数の孔を穿設し、柱状の衝撃吸収材を装着することを特徴とする請求項３記載のパークゴルフ用クラブ。
【請求項５】
クラブシャフトの内側に衝撃吸収材を設けることを特徴とする請求項１ないし請求項４記載のパークゴルフ用クラブ。
【請求項６】
クラブシャフトの嵌合孔の内周面に衝撃吸収材を設けることを特徴とする請求項１ないし請求項５記載のパークゴルフ用クラブ。
【請求項７】
クラブヘッド本体の左端部に切欠を設け、当該切欠に衝撃吸収材を装着することを特徴とする請求項１ないし請求項６記載のパークゴルフ用クラブ。
【考案の詳細な説明】
【技術分野】
【０００１】
本考案は、パークゴルフ用のクラブの衝撃緩和の構造に関する。
【背景技術】
【０００２】
パークゴルフは、児童から高齢者まで幅広い年齢層に親しまれるスポーツとなっており、近年ますますプレーヤー人口が増加している。パークゴルフは、一本のゴルフクラブを使ってプレーするため、第一打目はとくに距離を稼ぐ必要から思い切り強打する人が多い。
【０００３】
パークゴルフの現在のルールでは、公式プレー時の使用球は重量が９５ｇ以下に定められ、地面を転がしてボールを移動させるよう定められているが、ボールの安定した転がりなどを考慮すると、過剰に軽量のボールは使用できず、そのため多くのプレーヤーは９０〜９５ｇ程度の公式球を使用する。
【０００４】
ところが近年は、競技熱が盛んになったせいもあって、第一打目の飛距離が飛躍的に伸びるようになった。９０〜９５ｇのボールを遠くまで飛ばすためには、かなりの腕力を要するが、一方で、そのときの衝撃も激しいものとなる。
【０００５】
もともとパークゴルフは主として高齢者等の健康増進の目的で考案されたゲームであるが、競技人口が増え、試合による勝敗の行方が健康増進の域を超えて重視されるようになると、飛距離の問題も大きな技術的・戦術的テーマとなる。
【０００６】
従来のパークゴルフ用のクラブは、木製のヘッドに樹脂または金属製のシャフトを付けている。シャフトとヘッドの接続は、具体的には、ヘッドに円孔を穿設してシャフトの先端部を嵌合させるものである。
【特許文献１】なし
【考案の開示】
【考案が解決しようとする課題】
【０００７】
問題は、飛距離を稼ぐために第一打目を強打するプレーヤーが増えたため、従来のパークゴルフ用のクラブでは、強打するとプレーヤーの手にはかなりの衝撃があり、しかも熱心な人ほど毎日の練習を行うことから、衝撃振動に伴う手や腕や関節への影響が嫌煙されることにある。
【０００８】
そこで、本考案の目的は、強打によるプレーヤーへの衝撃を可能な限り低減する点にある。なお、このような問題は一般のゴルフでは生じない。ボールが小さく軽いためである。
【課題を解決するための手段】
【０００９】
前記目的を達成するため、請求項１に係るパークゴルフ用クラブは、クラブヘッドとクラブシャフトの接続箇所または接続箇所近傍において、クラブヘッドとクラブシャフトの少なくとも一方に、クラブシャフトへの衝撃の伝達を緩和する衝撃吸収材を設ける。
【００１０】
一般のゴルフよりも寸法が大きく、飛翔できない重量に設定されているパークゴルフ用のボールを強打するときの衝撃を、クラブヘッドとクラブシャフトの接続箇所または接続箇所近傍において吸収し、プレーヤーの手や腕への衝撃伝達を可能な限り低減させるためである。
【００１１】
ボールを強打したときの振動は、フェースからフェース材の裏面に伝わってクラブヘッドの全体に広がる際に、シャフトの嵌合孔からシャフトに伝達され、シャフトの上部を握持しているプレーヤーの体（手や腕）に伝わる。このため、衝撃の発生源に近い箇所に衝撃吸収材を設ければ、より少ない量で後段への振動伝達を阻止することが出来る。衝撃吸収材の使用量を減らすことで、クラブの扱いやすさは従前のままとすることが出来る。
【００１２】
請求項２以下は、出来るだけ少ない衝撃吸収材によって衝撃吸収の効果を高めるに適した構成を示すものである。
【００１３】
請求項２は、クラブヘッドのフェース材の裏側に、衝撃吸収材を設けるものである。ボールを打ったときの振動は、フェースの表面保護材（例えばカーボン樹脂など）の裏面に伝達されるので、フェース材の裏面に衝撃吸収材を配すると後段への振動伝達を確実に低減することが出来る。衝撃吸収材は、例えば平板状、柱状、円形、長方形、多角形のパターン配置ないし斑点状として配することが出来る。
【００１４】
請求項３は、クラブシャフトの嵌合孔の後方部位に板状の衝撃吸収材を配する。フェースから伝達された衝撃は、クラブシャフトの嵌合孔の後方に回りこんでクラブシャフトに伝達されるため、クラブシャフトの嵌合孔の後方に衝撃吸収材を配すると、後方からシャフトに伝達される振動をより低減することが可能となる。
【００１５】
請求項４は、クラブシャフトの嵌合孔の後方部位に複数の孔を穿設して柱状の衝撃吸収材を装着するものである。これによっても、請求項３と同様に衝撃を吸収緩和することが出来る。
【００１６】
請求項５は、クラブシャフトの内側に衝撃吸収材を設けるものである。このようにすれば、クラブシャフトの接続部分より上方に伝わる振動を確実に低減できる。この請求項５記載の発明を実施する際には、クラブシャフトが内部中空であり、衝撃吸収材が、効果的に振動を吸収できる径とすることが望ましい。
【００１７】
請求項６は、クラブシャフトの嵌合孔の内周面に衝撃吸収材を設けるものである。これにより、クラブヘッドからクラブシャフトに伝達される衝撃はほぼ望ましい程度に低減できる。ただし、クラブシャフトの嵌合箇所には常時強い衝撃が与えられるため、衝撃吸収材の劣化が早い可能性がある。
【００１８】
請求項７は、クラブヘッド本体の左端部に切欠を設け、当該切欠に衝撃吸収材を装着するものである。ボールはクラブヘッドの中央で叩くのが好ましいが、飛距離を伸ばそうとして力が入るとスイングが大きくなることから、ボールを身体から遠い位置（クラブヘッドの左端部）で叩いてしまうことが少なくない。初心者ほどこのような傾向があり、クラブヘッドの左端部には大きな衝撃が加わりやすく、フェースの表面を保護しているカバー材に無理な力が加わって剥離を起こす可能性がある。そこで、クラブヘッドの左端部に切欠を設けて衝撃吸収材を装着することにより、衝撃を緩和するとともに、プレー時に繰り返される衝撃に起因するフェース材（表面保護材）の剥離を防止し、パークゴルフ用のクラブの耐久性を高める。
【考案の効果】
【００１９】
本考案に係るパークゴルフ用クラブによれば、出来るだけ少ない量の衝撃吸収材を使用しつつクラブヘッドからクラブシャフトに伝わる振動を最小限に抑えることが出来る。
【考案を実施するための最良の形態】
【００２０】
図１は、本考案に係るパークゴルフ用クラブの一例を示すものである。このパークゴルフ用クラブ１０は、クラブヘッド本体１１のフェースに配する表面被覆板、例えばカーボン樹脂１２の裏側に、衝撃吸収材１５を設けるものである。１４は、カーボン樹脂１２に設けた孔（開口窓）である。
【００２１】
衝撃吸収材１５は、ゲル状のものや軟質／硬質のエストラマー、あるいは無反発ゴムを使用することが出来る。これらは適宜の肉厚に成形できるから、例えば、カーボン樹脂１２の形状に合わせて肉厚１〜１０ｍｍの板状に成形し、木製のクラブヘッド１１の表面に例えば貼着等の手段で固定し、その上からカーボン樹脂１２を配設固定する。
【００２２】
かかる構成によれば、ボールを打ったときに表面のカーボン樹脂１２から後方の木材（クラブヘッド本体１１）に伝わる衝撃は、衝撃吸収材１５によって確実に低減することが出来る。カーボン樹脂１２の裏面に設けるので、衝撃吸収材１５の肉厚が自由に設定変更できること、衝撃吸収材１５を板状に成形して配することが可能なため製造コストを抑えることが出来ること、衝撃吸収材１５は上下左右への強制外力に晒されないので劣化が少ないことなど、優れた構造となる。
【００２３】
板状に成形した衝撃吸収材１５は、適当箇所に孔や凹凸を備えていてもよい。原料樹脂を減らすことにより軽量化とコストの低減を図ることが可能となるからである。表面のカーボン樹脂１２から後方の木材（クラブヘッド本体１１）に伝わる衝撃を緩和できればよいので、衝撃吸収材１５は格子状、ネット状、あるいは柱状のものとしてもよい。カーボン樹脂１２とクラブヘッド本体１１の間に衝撃吸収材１５が介在していれば、ボールを強打したときの衝撃は確実に吸収緩和されるからである。
【００２４】
衝撃吸収材１５は、普通の可撓性のあるゴム（柔軟なゴム）を使用してもよい。５ｍｍ以上の肉厚にすれば、パークゴルフ用の競技ボールを強打しても手に伝わる衝撃は殆ど吸収できるからである。無反発ゴムは、振動エネルギーを熱エネルギーに変換する人工ゴムであり、１〜５ｍｍの肉厚でも衝撃吸収性は優れるが、コストが嵩む難がある。一方で、無反発ゴムは硬質であり衝撃を加えても劣化しにくいことなど優れた利点も備えるので、ゴルフクラブの価格や使用年齢等を考慮しつつ衝撃吸収材１５の材質、形状、肉厚を決定することが望ましい。
【００２５】
図２は、クラブヘッド本体１１の上面に設けたクラブシャフトの嵌合孔２０の後方に衝撃吸収材２５を配する構造である。フェース（１２）から伝達される衝撃は、クラブシャフトの嵌合孔２０の前方から伝達されるだけでなく、後方に回りこんでクラブシャフトに伝達される。クラブシャフトの嵌合孔２０の後方に衝撃吸収材２５を配すると、後方からシャフトに伝達される振動をより低減することが出来る。
【００２６】
衝撃をより効果的に吸収させるためには、嵌合孔２０の前側に衝撃吸収材２５を配することが望ましい。しかしながら、クラブヘッド本体１１のフェースから嵌合孔２０の前端までの寸法には十分な余裕がなく、木製であるクラブヘッド本体１１に凹溝を形成することは対費用効果において現実的ではない。そこで、図２に示すように、凹溝を形成するに十分な寸法余裕がある嵌合孔２０の後側に衝撃吸収材２５を配して、クラブシャフトに伝わる衝撃を可能な限り吸収緩和する。この場合、衝撃吸収材２５は凹溝に装着可能な板状のものを用いる。
【００２７】
図３は、クラブシャフトの嵌合孔２０の後方部位に複数の孔を穿設して、柱状の衝撃吸収材２８を装着するものである。衝撃吸収材２８を装着する孔は、クラブシャフトの嵌合孔２０と連通させることが望ましい。衝撃吸収材２８を装着する孔をクラブシャフトの嵌合孔２０と連通させることによって、衝撃吸収材２８の前側部分がクラブシャフトに当接できるため、クラブシャフトの振動が直接的に緩和されるからである。ただし、衝撃吸収材２８を装着する孔とクラブシャフトの嵌合孔２０とが連通していなくても、衝撃はかなりの程度吸収することが出来る。
【００２８】
図４は、クラブシャフト３０の内側に衝撃吸収材３５を設けるものである。このようにすれば、クラブ本体１１とクラブシャフト３０の接続部分より上に伝わる振動を確実に低減できる。
【００２９】
この場合の衝撃吸収材３５は、クラブシャフト３０を伝わる振動を吸収できればよいから、必ずしも柱状である必要はない。一定の肉厚を持った筒状の部材（内部中空材）であっても、クラブシャフト３０の内周面に密着して振動を吸収できるからである。内部中空の円筒形の衝撃吸収材３５を使用するときは、振動吸収率の高い無反発ゴムを材質とすることが望ましい。
【００３０】
図５は、クラブシャフト３０の嵌合孔２０の内周面に筒状の衝撃吸収材３８を設けるものである。この構造は、クラブシャフト３０の内側に衝撃吸収材３５を設ける図４の構造に較べて製造が容易であり、コストを低減できる。クラブシャフト３０の嵌合孔２０に設けるため、図４の構造に較べれば、衝撃吸収材３８は経年劣化しやすいが、交換メンテナンスが容易であるからクラブシャフト３０の耐用年数においては遜色がないか、むしろ長く使うことが可能である。
【００３１】
図６、図７は、クラブヘッド本体１１の左端部に切欠４０を設け、この切欠４０に衝撃吸収材４５を配する場合を例示する。この場合の衝撃吸収材４５は、プレーヤーの握り手に対する振動伝達を防止するだけでなく、不正確なショット（打ち損い）に基づくクラブヘッド本体１１の左端部にかかる衝撃を緩和して、カーボン樹脂１２の剥離や損傷を最小限にとどめ、クラブ自体の製品寿命（耐久性）を向上させる。
【００３２】
切欠４０の深さ（衝撃吸収材４５の肉厚）は、例えば３ｍｍ程度とすることが好ましい。３ｍｍ以上に厚くてもかまわないが、薄いときには十分な効果が損なわれるため、最低でも２ｍｍの肉厚を確保することが望ましい。
【００３３】
図１〜図７に示した衝撃吸収材１５、２５、２８、３５、３８、４５は、複数または全部を組み合わせて使用してもよい。
【図面の簡単な説明】
【００３４】
【図１】請求項２に係るパークゴルフ用クラブの実施形態を示す図である。
【図２】請求項３に係るパークゴルフ用クラブの実施形態を示す図である。
【図３】請求項４に係るパークゴルフ用クラブの実施形態を示す図である。
【図４】請求項５に係るパークゴルフ用クラブの実施形態を示す図である。
【図５】請求項６に係るパークゴルフ用クラブの実施形態を示す図である。
【図６】請求項７に係るパークゴルフ用クラブの実施形態を示す平面図である。
【図７】請求項７に係るパークゴルフ用クラブの実施形態を示す正面図である。
【符号の説明】
【００３５】
１０  パークゴルフ用クラブ
１１  クラブヘッド本体
１２  カーボン樹脂（フェース保護材）
１４  孔（開口窓）
１５、２５、２８、３５、３８、４５  衝撃吸収材
２０  （クラブシャフトの）嵌合孔
３０  クラブシャフト
【図１】
0003106624.tif 000003
【図２】
0003106624.tif 000004
【図３】
0003106624.tif 000005
【図４】
0003106624.tif 000006
【図５】
0003106624.tif 000007
【図６】
0003106624.tif 000008
【図７】
0003106624.tif 000009